(57)【要約】【課題】レジャーシートを収納している袋とレジャーシートを一体にするとともに、レジャーシートに小物を入れる袋体を一体に備えたレジャーセットを提供する。【解決手段】開口縁７に沿って紐９を設けた収納袋４を折り畳み、包装用袋３に収納して紐９の端部９ａ，９ｂを包装用袋３の端部３ａ，３ｂにそれぞれ固着する。また、縁部に沿って連結紐１１を取り付けたレジャーシート２を折り畳み、包装用袋３と共に外装用袋５に収納して連結紐１１の一端部と包装用袋３の端部３ｂを外装用袋５の端部５ｂに固着するとともに、連結紐１１の他端部を外装用袋の端部５ａに固着する。包装用袋３および外装用袋５には、それぞれに開封する破断線を設ける。【選択図】　　　　　図９
2004067137.tif 000002
【特許請求の範囲】
【請求項１】
開口縁に沿って紐を設けた収納袋を折り畳み、第１の包装用袋に収納して上記紐の両端部を上記第１の包装用袋の両端部にそれぞれ固着するとともに、
縁部に沿って連結紐を取り付けたレジャーシートを折り畳み、上記第１の包装用袋と共に第２の包装用袋に収納して上記連結紐の一端部と上記第１の包装用袋の一端部を上記第２の包装用袋の端部に固着するとともに、上記連結紐の他端部を上記第２の包装用袋の他端部に固着し、
かつ、上記第１および第２の包装用袋の所要位置に上記両包装用袋をそれぞれに開封する破断線を設けたことを特徴とするレジャーセット。
【請求項２】
上記第２の包装用袋の端部には、略中央に穴を形成した片部を一体的に固着し、上記第２の包装用袋の外部に設けたことを特徴とする請求項１記載のレジャーセット。
【請求項３】
上記紐および連結紐は第１の包装用袋から収納袋および第２の包装用袋からレジャーシートを完全に取り出せる長さを有していることを特徴とする請求項１または２記載のレジャーセット。
【発明の詳細な説明】
【０００１】
【発明の属する技術分野】
本発明は、戸外で使用するレジャーシートを備えたレジャーシートに関する。
【０００２】
【従来の技術】
一般に、ピクニック、海水浴およびアウトドアスポーツの観戦等においてはレジャーシートを広げて地面や砂浜に敷き、その上に座ったり横になったりしている。このレジャーシートは、折り畳まれビニール等の袋に収納されて販売されているものがあり、レジャーシートを使用する際に袋から取り出すと、袋はレジャーシートから分離されるので適宜に廃棄処分されていた。また、例えば、海水浴においては、レジャーシートに座りあるいは寝ころんで日焼け用クリームや日焼け止め用クリームなどを体に塗ったりしており、これらの小物はそのままレジャーシート上に置かれる場合が多かった。
【０００３】
【発明が解決しようとする課題】
しかしながら、従来のレジャーシートは、ビニール等の袋から取り出した際にレジャーシートと袋は分離されるので、この袋を一々廃棄処分しなければならないという煩雑さがあり、また不要となった袋を適切に処理しないと、風で吹き飛ばされたりして周囲に散乱されると環境を害するという問題があった。
【０００４】
また、上記レジャーシートは１枚のシート状であるため、日焼け用クリームや日焼け止め用クリーム、サングラス等の小物はレジャーシート上に置かれることが多く、再び使用する際には探さなければならなかったり、踏みつけて破損することがあった。
【０００５】
本発明は、上記従来技術の問題点に鑑みてなされたもので、レジャーシートを収納している袋とレジャーシートを一体にするとともに、レジャーシートに小物を入れる収納袋を一体に備えたレジャーセットを提供することを目的とする。
【０００６】
【課題を解決するための手段】
上記目的を達成するために、本発明の請求項１のレジャーセットは、開口縁に沿って紐を設けた収納袋を折り畳み、第１の包装用袋に収納して上記紐の両端部を上記第１の包装用袋の両端部にそれぞれ固着するとともに、縁部に沿って連結紐を取り付けたレジャーシートを折り畳み、上記第１の包装用袋と共に第２の包装用袋に収納して上記連結紐の一端部と上記第１の包装用袋の一端部を上記第２の包装用袋の端部に固着するとともに、上記連結紐の他端部を上記第２の包装用袋の他端部に固着し、かつ、上記第１および第２の包装用袋の所要位置に上記両包装用袋をそれぞれに開封する破断線を設けたことを特徴とする。
【０００７】
本発明の請求項２のレジャーセットは、請求項１のレジャーセットにおいて、上記第２の包装用袋の端部には、略中央に穴を形成した片部を一体的に固着し、上記第２の包装用袋の外部に設けたことを特徴とする。
【０００８】
本発明の請求項３のレジャーセットは、請求項１または２のレジャーセットにおいて、上記紐および連結紐は第１の包装用袋から収納袋および第２の包装用袋からレジャーシートを完全に取り出せる長さを有していることを特徴とする。
【０００９】
本発明の請求項１のレジャーセットによれば、レジャーシートに備えた収納袋に小物やゴミなどを入れ、レジャーシート上での散乱を防ぐことができる。また、レジャーシートに第２の包装用袋が連結されるとともに、収納袋および収納袋を入れた第１の包装用袋もレジャーシートに連結されているので、使用に際して第１および第２の包装用袋を分断しても、不要になった両包装用袋を一々廃棄処分する煩雑さがなくなるとともに、包装用袋が散乱して環境を害する恐れもなくなる。さらに、第１および第２の包装用袋は破断線に沿って容易に分断でき、レジャーシートおよび収納袋を容易に取り出すことができる。
【００１０】
本発明の請求項２のレジャーシートによれば、片部の穴によりレジャーシートを陳列および商品に取り付けることができ、また片部を把持して第２の包装用袋を容易に分断することができる。
【００１１】
本発明の請求項３のレジャーシートによれば、折り畳んだ収納袋およびレジャーシートを収納してあった第１および第２の包装用袋が障害とならず、きれいに広げることができる。
【００１２】
【発明の実施の形態】
以下、本発明の実施の形態を図面を用いて説明する。
【００１３】
（実施の形態１）
図１から図９は本発明の実施の形態１に係り、図１は本実施の形態１を示す平面図および一部を切り欠いて示す平面図、図２は収納袋を示す平面図、図３は収納袋を収納した第１の包装用袋を示す平面図、図４はレジャーシートを示す平面図、図５はレジャーシートを折り畳み第１の包装用袋を載置した状態を示す平面図、図６は第２の包装用袋内へ挿入可能にレジャーシートを折り畳んだ状態を示す平面図、図７はレジャーシートを収納した第２の包装用袋を示す平面図、図８は第２の包装用袋からレジャーシートを取り出した状態を示す平面図、図９は第１の包装用袋から収納袋を取り出した状態を示す平面図である。
【００１４】
図１に示すように、レジャーセット１は、レジャーシート２と第１の包装用袋（以下、包装用袋という）３内に収納した収納袋４が備えられており、レジャーシート２と包装用袋３は第２の包装用袋（以下、外装用袋という）５内に収納され、包装用袋３はその一方の端部が外装用袋５の一端部に固着されている。包装用袋３と外装用袋５には開封用の破断線１０，１２がそれぞれに設けられており、これらの包装用袋３と外装用袋５および後述する紐９と連結紐１１は熱溶着可能な材質（例えばポリエチレンを主原料とする樹脂材）にて形成されている。
【００１５】
収納袋４は、図２に示すように、方形状に形成した袋本体６の開口縁７近傍を二重にし、その二重部分の縁部を熱溶着して開口縁７に沿った紐通し部８が形成されている。この紐通し部８には摺動可能な紐９が環状に層通されており、紐９に沿って収納袋４の開口部を絞って閉じることが可能になっている。挿通した紐９は、その端部９ａ，９ｂが開口縁７の側方に突出されており、収納袋４は、適宜の大きさに折り畳んで両端を開放してある包装用袋３内に挿入され、図３に示すように、包装用袋３の両端を熱溶着して封止める際に、上記紐９の端部９ａ，９ｂと包装用袋３の端部３ａ，３ｂとが溶着線１３にてそれぞれ固着されている。包装用袋３には、この包装用袋３を開封して収納袋４を取り出すためのミシン目状の破断線１０が紐９の端部９ａを固着した端部３ａ近傍に設けられている。
【００１６】
一方、レジャーシート２は、図４に示すように方形状に形成され、その長手方向の一辺（以下、上辺という）に沿って連結紐１１が取り付けられており、連結紐１１の端部１１ａ，１１ｂはレジャーシート２の側辺より突出されている。連結紐１１は１本を用いてレジャーシート２に固着しても良いし、２本の連結紐１１を用いてレジャーシート２の側辺にそれぞれ固着しても良い。さらに、レジャーシート２の座る面を表面とすると、連結紐１１は裏面に固着してあるが、表面に固着しても構わない。
【００１７】
レジャーシート２は、図５に示すように、連結紐１１と直交する上下方向に沿って略均等にかつ連結紐１１の端部１１ａ，１１ｂが反対方向に突出するように３つ折りされ、上記包装用袋３がその端部３ｂと連結紐１１の端部１１ｂを一致させるようにしてレジャーシート２の表面側に上辺と平行に配置される。そして、図６に示すように、レジャーシート２は上辺側あるいは下辺側から適宜大きさに折り畳まれ、図７に示すように、両端を開放してある外装用袋５内に挿入し、外装用袋５の端部５ａ，５ｂを熱溶着して封止する際に、連結紐１１の端部１１ａが外装用袋５の端部５ａに溶着線１４にて固着されるとともに、連結紐１１の端部１１ｂと包装用袋３の端部３ｂが外装用袋５の端部５ｂに溶着線１４にて固着される。外装用袋５には、端部５ｂ近傍に開封用の破断線１２がミシン目状に設けられている。
【００１８】
連結紐１１の端部１１ａ側突出長は、破断線１２に沿って外装用袋５を分断しレジャーシート２を取り出した際に、レジャーシート２が外装用袋５から完全に取り出すことができるような長さとなっている。さらに、上記収納袋４に設けた紐９の端部９ｂ側突出長は、包装用袋３を破断線１０で分断して収納袋４を取り出した際に、収納袋４が包装用袋３から完全に出され、かつレジャーシート２上辺側の略中央に配置できる長さとなっている。
【００１９】
尚、包装用袋３は、レジャーシート２を３つ折り状態にした後にレジャーシート２上に配置した場合を説明したが、包装用袋３の端部３ｂと連結紐１１の端部１１ｂとを一致させてレジャーシート２の表面側に包装用袋３を配置し、包装用袋３を挟み込むようにレジャーシート２を３つ折りした後、上辺側あるいは下辺側から外装用袋５に収納可能な大きさに折り畳んでも良い。
【００２０】
上記レジャーシート２の大きさが、例えば幅６００ｍｍ、長さ９００ｍｍとすると、幅方向へ略均等に２回折り畳んで約２００ｍｍの長さにし、さらに長さ方向へ略均等に９回折り畳んで約９０ｍｍの長さとすることにより、長さ２３５ｍｍで幅９５ｍｍの大きさの外装用袋５に収納でき、大きなレジャーシート２を小さな外装用袋５に収納して持ち運びが容易な大きさにすることができる。尚、収納袋３は、その幅をレジャーシート２の幅の約１／３、長さを約１／３〜１／２の大きさにすることができる。
【００２１】
上記レジャーセット１を使用する際には、先ず、外装用袋５の端部５ａ，５ｂを把持して相反する方向に引っ張り、外装用袋５を破断線１２に沿って分断することで折り畳んだ状態のレジャーシート２を外装用５から取り出し、折り畳み状態のレジャーシート２を広げる（図８参照）。このとき、分断した外装用袋５は連結紐１１を介してレジャーシート２と一体的に結合されている。また、レジャーシート２を広げた際に、収納袋４が入っている包装用袋３はレジャーシート２表面の上辺側の側部に位置しており、収納袋４を使用する際には、包装用袋３の端部３ａ，３ｂを把持して相反する方向に引っ張り包装用袋３を破断線１０に沿って分断することで、収納袋４は包装用袋３から取り出され、収納袋４はレジャーシート２の上辺側の略中央部に配置される（図９参照）。このとき、分断された包装用袋３の一方は紐９を介して収納袋４と一体的に結合されているとともに、他方の包装用袋３はレジャーシート２に固定されている外装用袋５の端部５ｂと一体的に結合されており、収納袋４もレジャーシート２から分離することはない。
【００２２】
本実施の形態によれば、レジャーセット１を使用する際に外装用袋５を分断してレジャーシート２を取り出し、さらに包装用袋３を分断して収納袋４を取り出しても、分断した外装用袋５や包装用袋３はレジャーシート２と一体化しているので散乱することはない。また、収納袋４もレジャーシート２と一体化しており、風などにより吹き飛ばされることはない。さらに、レジャーセット１は外装用袋５に収納して小型化が図られており、使用する人数に合わせて持参することも容易であり、個人個人で使用できることは勿論、複数枚のレジャーシート２を連ねることで複数人が集まって使用することもできる。
【００２３】
また、レジャーセット１の外装用袋５の表面には、会社名や商品紹介等の記載が可能で、街頭や郵便局での配布や販売商品の景品として用い、宣伝媒体として利用することができる。
【００２４】
さらに、収納袋４は、レジャーシート２の上辺側の略中央位置に配置できるので、収納袋４にタオル等を入れて枕にし横になることができる。また、収納袋４には、食べ終えた菓子類の袋や食べ物の包み紙などによって生じるゴミを入れることで、レジャーシート２上での散乱や風等による付近への散乱を防ぐことができる。そして、ゴミを入れた収納袋４は、紐９に沿って開口部を絞り込んで閉じ、紐９を結ぶことでゴミの飛び出しを防げるとともに、レジャーシート２の側方に位置させて固定できるのでレジャーシート２の使用上の障害とならない。
【００２５】
また、収納袋４には、レジャーシート２上で使用した後に再び使用する小物、例えば海水浴における日焼け用クリームや日焼け止め用クリーム、外したサングラス等の小物を一時収納することで、これらの小物の置場所が明確になり、探すことなく再び使用でき、またレジャーシート２上に置いた際に生じ易い不祥事である押し潰しや破壊を防ぐことができるとともに、砂等による汚れを防ぐことができる。
【００２６】
（実施の形態２）
図１０は本発明の実施の形態２に係り、図１０はレジャーセットの平面図である。
【００２７】
本実施の形態のレジャーセット２１は、外装用袋５の端部５ａに片部２２を一体的に熱溶着し、外装用袋５の長手方向に延在させて設けられており、片部２２にはその略中央部に円形の穴２３が形成されている。なお、片部２２は、外装用袋５の端部５ｂに熱溶着しても構わない。その他の構成および使用方法は実施の形態１と同様であるので、その説明は省略する。
【００２８】
本実施の形態によれば、外装用袋５を分断する際に片部２２を把持することができ、容易に外装用袋５を分断してレジャーシート２を取り出すことができる。さらに、レジャーセット２１を販売する際、片部２２の穴２３を壁などに設けた突起物に掛けて陳列することができる。さらに、ペットボトルや瓶類など容器の首部に片部２２の穴２３に掛け、景品として用いることができる。その他の効果は実施の形態１と同様である。
【００２９】
【発明の効果】
本発明の請求項１に係るレジャーセットによれば、レジャーシートに収納袋を備えているので、この収納袋にタオルを入れて枕にできるとともに、必要な小物を入れることで置場所が明確になり探す手間や押し潰すなどの事故をなくすことができる。また、生じたゴミなどを入れることでレジャーシート上での散乱を防ぎ、周囲に飛散して環境を害することも防ぐことができる。さらに、レジャーシートに第２の包装用袋が連結されているとともに、収納袋および収納袋を入れた第１の包装用袋もレジャーシートに連結されているので、使用に際して第１および第２の包装用袋を分断しても、不要になった両包装用袋を一々廃棄処分する煩雑さがなくなるとともに、包装用袋が散乱して環境を害する恐れもなくなる。また、レジャーセットは小型なので持ち運びが容易で、さらに街頭等での配布が可能であり宣伝媒体として用いることができる。
【００３０】
本発明の請求項２のレジャーセットによれば、穴を有する片部を第２の包装用袋の外部に設けたので、レジャーセットを陳列および商品に取り付けることができ、また片部を把持して第２の包装用袋を容易に分断することができる。
【００３１】
本発明の請求項３のレジャーセットによれば、収納袋およぴレジャーシートを第１および第２の包装用袋からそれぞれ完全に取り出し、きれいに広げることができる。
【図面の簡単な説明】
【図１】本発明の実施の形態１を示し、（ａ）は平面図、（ｂ）は一部を切り欠いて示す平面図である。
【図２】本発明の実施の形態１における収納袋を示す平面図である。
【図３】本発明の実施の形態１における収納袋を収納した第１の包装用袋を示す平面図である。
【図４】本発明の実施の形態１におけるレジャーシートを示す平面図である。
【図５】本発明の実施の形態１におけるレジャーシートを折り畳み第１の包装用袋を載置した状態を示す平面図である。
【図６】本発明の実施の形態１におけるレジャーシートを第２の包装用袋内へ挿入可能な大きさに折り畳んだ状態を示す平面図である。
【図７】本発明の実施の形態１におけるレジャーシートを収納した第２の包装用袋を示す平面図である。
【図８】本発明の実施の形態１における第２の包装用袋からレジャーシートを取り出した状態を示す平面図である。
【図９】本発明の実施の形態１における第１の包装用袋から収納袋を取り出した状態を示す平面図である。
【図１０】本発明の実施の形態２を示す平面図である。
【符号の説明】
１　レジャーセット
２　レジャーシート
３　包装用袋
４　収駒袋
５　外装用袋
６　袋本体
７　開口縁
８　紐通し部
９，１１　紐
１０，１２　破断線
１３，１４　溶着線
【図１】
2004067137.tif 000003
【図２】
2004067137.tif 000004
【図３】
2004067137.tif 000005
【図４】
2004067137.tif 000006
【図５】
2004067137.tif 000007
【図６】
2004067137.tif 000008
【図７】
2004067137.tif 000009
【図８】
2004067137.tif 000010
【図９】
2004067137.tif 000011
【図１０】
2004067137.tif 000012